【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
HFC網を介して複数の加入者宛先に専用帯域幅を与えるために配信点によってデジタル情報を処理する方法であって、
データ・パケットを、各々が複数の加入者宛先の1つに対応する複数のデータ・ストリームとして転送することと、
各データ・ストリーム内の各データ・パケットをフレーム化することと、
カプセル化データ・パケットをセグメント化してデータ・セグメントを得ることと、
複数のデータ・ストリームの各々のデータ・セグメントをデータ・セルにカプセル化して、複数のセル・ストリームのうちの対応するセル・ストリームを形成することと、
複数のセル・ストリームを多重化して多重化セル・ストリームを得ることであって、(a)多重化セル・ストリームにチャネルを割り当てて、各々が等しい数のタイム・スロットを有する複数のセル群を得ることと、(b)複数のセル・ストリームのそれぞれから得たデータ・セルを各セル群のタイム・スロットに挿入することとを含む、ことと、
多重化セル・ストリームを変調して周波数チャネル内の変調信号を得ることとを含む方法。
【請求項２】
前記転送の前に、
デジタル情報を受信することと、
デジタル情報を処理してデータ・パケット情報を得ることとをさらに含む、請求項1に記載の方法。
【請求項３】
前記各データ・パケットのフレーム化は、データ・パケットのサイズを示す長さ値を含むパケット・ヘッダを付加することを含む、請求項1に記載の方法。
【請求項４】
前記セグメント化は、各セグメント化データ・パケットごとに第1のセグメントにパケット・ヘッダを組み込むことを含む、請求項３に記載の方法。
【請求項５】
前記データ・セグメントのカプセル化は、多重化セル・ストリーム内の次のセグメント化データ・パケットの始めを示すオフセット値を含むセル・ヘッダを各データ・セグメントに付加することを含む、請求項4に記載の方法。
【請求項６】
各オフセット値が対応するセグメント化データ・パケットに対する長さ値と互換性があることを検証することをさらに含む、請求項5に記載の方法。
【請求項７】
前記セル・ヘッダは同期値を含む、請求項5に記載の方法。
【請求項８】
前記データ・セグメントのカプセル化は、
多重化セル・ストリーム内の各データ・セルのサイズが等しくなるように不完全なデータ・セルにヌル値を詰めることをさらに含む、請求項5に記載の方法。
【請求項９】
前記複数のセル・ストリームの多重化は、複数のセル・ストリームのそれぞれから得たデータ・セルを多重化セル・ストリームにラウンド・ロビン式に挿入することを含む、請求項1に記載の方法。
【請求項１０】
各々が一連の対応するタイム・スロットを含む少なくとも1つのトランスポート・チャネルを各データ・ストリームに割り当てることをさらに含み、
前記挿入は、複数のセル・ストリームのそれぞれから得たデータ・セルを、割り当てられたトランスポート・チャネルの対応するタイム・スロットに挿入することを含む、請求項1に記載の方法。
【請求項１１】
多重化セル・ストリームを同期セル・ストリームとして変調器に送信することをさらに含む、請求項1に記載の方法。
【請求項１２】
連続した同期セル・ストリームを維持するようにヌル・セルを挿入することをさらに含む、請求項11に記載の方法。
【請求項１３】
多重化セル・ストリームの各データ・セル間に遅延を挿入することをさらに含む、請求項11に記載の方法。
【請求項１４】
前記データ・セグメントのカプセル化は、同期値を含むセル・ヘッダを各データ・セルに付加することを含む、請求項1に記載の方法。
【請求項１５】
前記同期値はMPEG-2フォーマットに準拠している、請求項14に記載の方法。
【請求項１６】
前記多重化が終了してから前記変調が始まるまでの間に、
各データ・セルに付加されたセル・ヘッダ内の周期的同期値を修正することと、
多重化セル・ストリーム内の各データ・セルのペイロードをスクランブルすることと、
多重化セル・ストリーム内のデータ・セルを符号化することとを含む、請求項14に記載の方法。
【請求項１７】
前記符号化はリード・ソロモン符号化方式に準拠している、請求項16に記載の方法。
【請求項１８】
前記変調は直交振幅変調（QAM）に準拠している、請求項1に記載の方法。
【請求項１９】
前記変調はQAM-256変調に準拠している、請求項18に記載の方法。
【請求項２０】
前記多重化は、複数のセル・ストリームを多重化して複数の多重化セル・ストリームを得ることを含み、
更に、各多重化セル・ストリームを複数の周波数チャネルのうちの対応する1つの周波数チャネル内の対応する変調信号に変調することと、
複数の周波数チャネルを単一の電気信号に組み合わせることとを含む、請求項1に記載の方法。
【請求項２１】
電気信号を、光ノードに送信するための光信号に変換することをさらに含む、請求項20に記載の方法。
【請求項２２】
送信元情報をHFC網上で供給するために専用帯域幅を複数の加入者宛先のそれぞれに与える方法であって、
デジタル情報を、各々が複数の加入者宛先のうちの1つに対応する複数のデータ・ストリームとして転送することと、
各データ・ストリーム内のデジタル情報をカプセル化して複数のデータ・セルを得ることと、
複数のデータ・ストリームのそれぞれのデータ・セルを多重化して多重化セル・ストリームを得ることであって、(a)多重化セル・ストリームにチャネルを割り当てて、各々が等しい数のタイム・スロットを有する複数のセル群を得ることと、(b)複数のセル・ストリームのそれぞれから得たデータ・セルを各セル群のタイム・スロットに挿入することとを含む、ことと、
多重化セル・ストリームを変調してある周波数チャネルにおけるアナログ信号を得ることと、
アナログ信号を光信号に変換することと、
光信号をHFC網上で複数の加入者宛先に送信することとを含む方法。
【請求項２３】
前記デジタル情報の転送の前に、
配信ハブでデータ・パケットを受信することと、
データ・パケットをカプセル化解除して、元のパケット・フォーマットのパケット・データを得ることと、
パケット・データを元のパケット・フォーマットのパケットに再アセンブルすることとをさらに含む、請求項22に記載の方法。
【請求項２４】
元のパケット・フォーマットはIPパケット・フォーマットである、請求項23に記載の方法。
【請求項２５】
前記データ・パケット受信の前に、
ヘッドエンドから光信号を受信することと、
光信号をデータ・パケットに変換することとを含む、請求項23に記載の方法。
【請求項２６】
前記デジタル情報の転送は、更に、複数の加入者宛先に関連するデジタル・アドレスを判定することを含む、請求項22に記載の方法。
【請求項２７】
前記デジタル情報の転送の前に、デジタル情報をデータ・パケットに変換することをさらに含む、請求項22に記載の方法。
【請求項２８】
前記カプセル化は、
各データ・ストリーム内のデータ・パケットをセグメント化して複数のパケット・セグメントを得ることと、
パケット・セグメントにフレーム・ヘッダを付加してフレーム化することと、
フレーム化されたパケット・セグメントをカプセル化して、各々がセル・ヘッダを含む複数のデータ・セルを得ることとを含む、請求項27に記載の方法。
【請求項２９】
前記フレーム化は、データ・パケットの長さを示す長さ値をフレーム・ヘッダに付加することを含む、
前記カプセル化は、カプセル化データ・パケットの始めを示すポインタ値をセル・ヘッダに付加することを含む、請求項28に記載の方法。
【請求項３０】
データの完全性を保証する長さ値を有するポインタ値を検証することをさらに含む、請求項29に記載の方法。
【請求項３１】
前記カプセル化は、MPEG-2フォーマットに準拠した同期値をセル・ヘッダに挿入することを含む、請求項29に記載の方法。
【請求項３２】
前記多重化は、
複数のデータ・ストリームのそれぞれから得たデータ・セルをラウンド・ロビン式に挿入して多重化セル・ストリームを形成することをさらに含む、請求項22に記載の方法。
【請求項３３】
前記多重化は、
複数のデータ・ストリームのそれぞれを多重化セル・ストリームの所定数のトランスポート・チャネルのうちの少なくとも1つに割り当てることと、
複数のデータ・ストリームから得たデータ・セルを、多重化セル・ストリームの割り当てられたトランスポート・チャネルに挿入することをさらに含む、請求項22に記載の方法。
【請求項３４】
多重化セル・ストリームの前記変調の前に、
多重化セル・ストリームの各データ・セルを符号化することをさらに含む、請求項22に記載の方法。
【請求項３５】
前記符号化は、リード・ソロモン符号化方式に従って各データ・セルを符号化することを含む、請求項34に記載の方法。
【請求項３６】
多重化セル・ストリームの各データ・セルの前記符号化の前に、
多重化セル・ストリームの各データ・セルをスクランブルすることをさらに含む、請求項34に記載の方法。
【請求項３７】
前記変調は、直交振幅変調（QAM）に従って多重化セル・ストリームを変調することを含む、請求項22に記載の方法。
【請求項３８】
前記多重化は、複数のデータ・ストリームのデータ・セルを多重化して複数の多重化セル・ストリームを得ることを含むことと、
前記変調は、複数の多重化セル・ストリームのそれぞれを対応する複数のアナログ信号に変調することを含むことと、
複数のアナログ信号のそれぞれを複数の周波数チャネルのうちの対応する1つの周波数チャネルにアップコンバートすることと、
複数の周波数チャネルを組み合わせて電気信号を得ることとをさらに含む、請求項22に記載の方法。
【請求項３９】
電気信号を光信号に変換することをさらに含む、請求項38に記載の方法。
【請求項４０】
前記送信は、
光信号を光ノードに送信することと、
光ノードによって光信号を電気信号に変換することと、
光ノードによって、電気信号を同軸ケーブルを介して複数の加入者宛先に送信することとをさらに含む、請求項22に記載の方法。
【請求項４１】
HFC網における複数の加入者宛先のそれぞれに専用帯域幅を与えるように配信点で下流側デジタル情報を処理するチャネル・モジュールであって、
パケット化データを受信するインタフェースと、
インタフェースに結合されたセル処理エンジンとを有し、該セル処理エンジンは、
パケット化データを1つまたは複数のデータ・ストリームとして転送するスイッチと、
各データ・ストリーム内のパケット化データをカプセル化して複数のデータ・セルを得るエンカプスレータと、
複数のデータ・ストリームのデータ・セルを多重化してデータ・セルの多重化ストリームを得るチャネライザであって、データ・セルの多重化ストリームを、各々が複数のタイム・スロットを含む複数のセル群に構成し、割り当てられたタイム・スロットに従って複数のデータ・ストリームのそれぞれから得たデータ・セルを挿入するチャネライザと、
セル処理エンジンに結合され、データ・セルの多重化セル・ストリームをアナログ信号に変調する変調器と、
アナログ信号を周波数チャネルにアップコンバートする無線周波数（RF）送信器網とを備えるチャネル・モジュール。
【請求項４２】
セル処理エンジンは、
インタフェースおよびスイッチに結合され、パケット化データをカプセル化解除し、IPパケットを再アセンブルするフレーム・プロセッサをさらに備える、請求項41に記載のチャネル・モジュール。
【請求項４３】
エンカプスレータは、
スイッチに結合され、各IPパケットのサイズを示す長さ値を含むフレーム・ヘッダを各データ・ストリーム内のIPパケットに付加してフレーム化するパケット適応手順（PAP）プロセッサをさらに備える、請求項42に記載のチャネル・モジュール。
【請求項４４】
エンカプスレータは、
パケット適応手順(PAP)プロセッサおよびチャネライザに結合され、フレーム化されたパケットをセグメント化し、データ・セルのストリーム内の次のフレーム・ヘッダの位置を示すポインタ値を含むセル収束手順(CCP)ヘッダで各セグメントをカプセル化することによってデータ・セルを生成するセル収束手順（CCP）プロセッサをさらに備える、請求項43に記載のチャネル・モジュール。
【請求項４５】
セル収束手順(CCP)プロセッサは、部分的なセグメントに少なくとも1つのヌル値を詰めてサイズの等しいデータ・セルを作成する、請求項44に記載のチャネル・モジュール。
【請求項４６】
セル収束手順(CCP)プロセッサはさらに、入力されたパケット化データが得られない場合にヌル・データ・セルを生成する、請求項45に記載のチャネル・モジュール。
【請求項４７】
セル収束手順(CCP)プロセッサは、MPEG-2フォーマットに準拠した同期値をセル収束手順(CCP)ヘッダに付加する、請求項44に記載のチャネル・モジュール。
【請求項４８】
チャネライザに結合されたメモリであって、各タイム・スロットをそれぞれの対応する加入者宛先アドレスにマップする参照テーブルを格納するメモリをさらに備える、請求項41に記載のチャネル・モジュール。
【請求項４９】
セル処理エンジンは、変調器への送信を行いつつ、データ・セルの多重化ストリームの各データ・セル間に遅延を挿入する、請求項41に記載のチャネル・モジュール。
【請求項５０】
変調器は、ランダマイザと、エンコーダと、直交振幅変調器（QAM）とをさらに備える、請求項41に記載のチャネル・モジュール。
【請求項５１】
エンコーダはリード・ソロモン・エンコーダを備える、請求項50に記載のチャネル・モジュール。
【請求項５２】
QAMはQAM-256変調を実行する、請求項50に記載のチャネル・モジュール。
【請求項５３】
複数の多重化データ・セル・ストリームを供給するセル処理エンジンと、
各々が複数の多重化データ・セル・ストリームのうちの対応する1つの多重化データ・セル・ストリームを受信する複数の変調器と、
複数の周波数チャネルを組み合わせて単一の電気信号を得るコンバイナを含むRF送信器網とをさらに備える、請求項41に記載のチャネル・モジュール。
【請求項５４】
HFC網における複数の加入者宛先のそれぞれに専用帯域幅を与えるように配信点で下流側デジタル情報を処理するパケットスイッチルータ・チャネル・モジュールであって、
ネットワーク接続の端末として働くネットワーク・インタフェース・モジュールと、
パケット化データをネットワーク・インタフェース・モジュールから転送するスイッチと、
スイッチに結合された少なくとも1つのチャネル・モジュールと、を有し、該チャネル・モジュールは、
パケット化データをスイッチから受信するスイッチインタフェースと、
スイッチインタフェースに結合され、パケット化データを複数のデータ・ストリームとして転送し、各データ・ストリーム内のパケット化データをカプセル化して複数のデータ・セルを得て、複数のデータ・ストリームのデータ・セルを多重化してデータ・セルの少なくとも1つの多重化ストリームを得るセル処理エンジンと、
データ・セルの多重化ストリームを、各々が複数のタイム・スロットを含む複数のセル群に構成し、割り当てられたタイム・スロットに従って複数のデータ・ストリームのそれぞれから得たデータ・セルを挿入するチャネライザと、
各変調器が、セル処理エンジンに結合され、データ・セルの対応する多重化ストリームをアナログ信号に変調するように構成された、複数の変調器と、
複数の変調器に結合され、複数のアナログ信号をアップコンバートし組み合わせて、送信できる組合せ電気信号を得る無線周波数（RF）送信器網と、
を備えるパケットスイッチルータ・チャネル・モジュール。